(57)【要約】      （修正有）【課題】簡単な構成で物品の重量に耐えて剥離テープのシール状態が完全に保てるセキュリティバッグを提供する。【解決手段】２枚のシート２０の両側端１０ｂ、２０ｂと下端１０ｃ、２０ｃを接合し、内部に物品の収納部を構成し、２枚のシート２０の上部に取手部１３、２３を設けると共に、２枚のシート２０のうち一方のシートの内側に、シートの全幅にわたって収納部を閉鎖するための開封判別機能を有する剥離テープ３０を構成したセキュリティバッグ。【選択図】図１
0003206822.tif 000002
【実用新案登録請求の範囲】
【請求項１】
２枚のシートの両側端と下端を接合し、内部に物品の収納部を構成し、前記２枚のシートの上部に取手部を設けると共に、前記２枚のシートのうち一方のシートの内側に、シートの全幅にわたって前記収納部を閉鎖するための開封判別機能を有する剥離テープを構成したことを特徴とするセキュリティバッグ。
【請求項２】
前記取手部に孔を設け、前記剥離テープを前記取手部の下方に構成すると共に、前記剥離テープの両端部がシートの両側端より内側に位置することを特徴とする請求項１記載のセキュリティバッグ。
【考案の詳細な説明】
【技術分野】
【０００１】
本考案は、主として免税店などで使用される、物品を収納して開封判別機能のついた剥離テープでシールするセキュリティバッグに関するものである。
【背景技術】
【０００２】
従来より、免税品を購入して出国するときに、当該物品が免税品であることが分かるように開封判別機能のついた剥離テープを備えたセキュリティバッグに収納していた。従来のセキュリティバッグを特許文献１に示す。
【先行技術文献】
【非特許文献】
【０００３】
【非特許文献１】“オリジナルビニール袋・手提げ袋の製作・販売”清水化学工業株式会社［平成２８年７月２５日検索］、インターネット<URL:http://www.shimizu-chem.co.jp>
【０００４】
特許文献１に示すセキュリティバッグ５０は、図６乃至図８に示すもので、上端に取手部５３を有する長方形の第１シート５１と、この第１シート５１と幅が等しく長さが短い第２シート５２を重ね合わせて、両側端と下端を接合して内部に物品Ｇの収納部５５を構成したものである。
【０００５】
そして、第２シート５２の上端全幅にわたって剥離テープ６０を取り付ける。この剥離テープ６０は開封判別機能を有していて、その下部は第２シート５２の上端外側に接着し、上部は第２シート５２の上端より突出していて内側表面（シール機能を有する面）に保護部材６１を取り付けてある（図７参照）。この保護部材６１の作用で、通常は剥離テープ６０は第１シート５１に接着することはなく第２シート５２の上端は開口している。
【０００６】
上記構成のセキュリティバッグ５０を使用する際は、図８に示すように、物品Ｇを第２シート５２の上端の開口部から収納部５５に入れ、その後保護部材６１を剥がして剥離テープ６０を上から押圧して第１シート５１表面に接着してシールする。  
なお、このシール後に剥離テープ６０を剥がすと、第１シート５１の表面に「OPEN  VOID」（開封無効）の文字が表れてきて開封したことが判明するようになっている。
【考案の概要】
【考案が解決しようとする課題】
【０００７】
前記従来のセキュリティバッグ５０では、次のような問題点があった。
図８に示すように、物品Ｇが収納部５５に収納されるとセキュリティバッグ５０が膨らむが、この状態で第１シート５１の上端の取手部５３を持つと物品Ｇの重量が、第２シート５２の上端の剥離テープ６０にかかるため剥離テープ部６０はがれやすくなる。
【０００８】
本考案は上記のような従来のセキュリティバッグの問題点を解決したもので、簡単な構成で物品の重量に耐えて剥離テープのシール状態が完全に保てるセキュリティバッグを提供することを目的とする。
【課題を解決するための手段】
【０００９】
請求項１に記載の考案は、２枚のシートの両側端と下端を接合し、内部に物品の収納部を構成し、前記２枚のシートの上部に取手部を設けると共に、前記２枚のシートのうち一方のシートの内側に、シートの全幅にわたって前記収納部を閉鎖するための開封判別機能を有する剥離テープを構成したセキュリティバッグである。
【００１０】
請求項２に記載の考案は、前記取手部に孔を設け、前記剥離テープを前記取手部の下方に構成すると共に、前記剥離テープの両端部がシートの両側端より内側に位置するセキュリティバッグである。
【考案の効果】
【００１１】
請求項１記載のセキュリティバッグによれば、２枚のシートを接合して内部に物品の収納部を構成し、上部に取手部を設け一方のシートの内側に前記収納部閉鎖用の剥離テープを構成したから、物品の重量が上端の取手部にかかり剥離テープにはかからないため、物品の重量によって剥離テープが剥がれることがなく完全なシール状態が保たれる。
そのためたくさんの物品を完全、確実に剥離テープでシールしたまま運ぶことができる。また剥離テープがシートの内側に設けてあるため、剥離テープが外部の障害物と衝突せず安定した状態が保たれる。
【００１２】
請求項２記載のセキュリティバッグによれば、シートの上部に孔を設けて取手部とすると共に前記剥離テープの両端部がシートの両側端の延長線上の内側に位置するようにシートの上部両端を切り欠いて構成したから、取手部が使いやすくなると共に剥離テープの保護と使いやすさが向上するのである。
【図面の簡単な説明】
【００１３】
【図１】実施形態１のセキュリティバッグの正面図
【図２】実施形態１のセキュリティバッグの第１シートの正面図
【図３】実施形態１のセキュリティバッグの第２シートの正面図
【図４】図１のIV−IV線拡大端面図
【図５】実施形態１のセキュリティバッグの使用状態を示す縦断面図
【図６】従来のセキュリティバッグの正面図
【図７】図６のVII−VII線拡大端面図
【図８】従来のセキュリティバッグの使用状態を示す縦断面図
【考案を実施するための形態】
【００１４】
本考案のセキュリティバッグの実施形態１を図１乃至図５に基づいて説明する。図示のように、セキュリティバッグ１は略長方形の第１シート１０と、この第１シート１０と同大、同形状の第２シート２０からなる。
前記第１シート１０の両側端１０ｂと下端１０ｃと第２シート２０の両側端２０ｂと下端２０ｃをそれぞれ接合して内部に収容部１５を構成し、第１シート１０の上端１０ａと第２シート２０の２０ａは接合せず開口部を構成している。
【００１５】
前記第１シート１０の、下部シート１２は長方形であり、この下部シート１２の上端に台形の上部シート１１を連続して構成してある。また、上部シート１１は強度を保つためにシートを重ねた二重構造となっている。
前記上部シート１１の下部に、上部シート１１の全幅にわたって水平な帯状の剥離テープ３０を設け、この剥離テープ３０の上面に全長にわたって保護部材３１を取り付ける。また剥離テープ３０は開封判別機能を有している。
また前記第２シート２０は第１シート１０と同形状であるが、剥離テープ３０と保護部材３１は設けられていない。
【００１６】
上記のように構成した実施形態１の作り方を説明する。
所定の大きさの第１シート１０と第２シート２０を作成し、第１シート１０の表面に剥離テープ３０と保護部材３１を設ける。次に第１シート１０と第２シート２０を重ねて取手部１３、２３を穿孔し、第１シート１０の両側端１０ｂ，１０ｂ及び下端１０ｃと、第２シート２０の両側端２０ｂ，２０ｂ及び下端２０ｃのそれぞれを溶着する。
【００１７】
次いで第１シート１０の上部シート１１と第２シート２０の上部シート２１の両側端を切り欠いて各上部シート１１、２１を台形に成形する。
また、上記取手部１３、２３は各上部シート１１、２１に穿孔した孔に限らず、例えば図示しない手提げ具を各上部シート１１、２１に取り付けることで取手部としてもよい。
【００１８】
上記のように構成したセキュリティバッグ１の使用に際しては、上端から物品Ｇを収納部１５内に収納し、保護部材３１をはがして第２シート２０を剥離テープ３０の上から押しつけてシールして携帯する。
【００１９】
上記実施形態の効果は、次の通りである。
取手部１３、２３が２枚のシートの上端に設けてあるので、２枚のシート１１、２１を同時に持って物品Ｇを運ぶと、物品Ｇの重量は取手部１３、２３で支持されるため剥離テープ３０に重量がかからず、剥離テープ３０が剥がれる恐れがなく、シール状態は完全に保たれる。そのためたくさんの物品を完全、確実にシールして運べる。
また剥離テープが内側にあるので、剥離テープがぶつかったりせず、外部の影響を受けないというメリットもある（図５参照）。
【符号の説明】
【００２０】
１  セキュリティバッグ  
１０  第１シート      
１０ａ  上端
１０ｂ  両側端
１０ｃ  下端
１１  上部シート
１２  下部シート
１３  取手部    
１５  収納部      
２０  第２シート
２０ａ  上端
２０ｂ  両側端
２０ｃ  下端  
２３  取手部
３０  剥離テープ  
３１  保護部材
【図１】
0003206822.tif 000003
【図２】
0003206822.tif 000004
【図３】
0003206822.tif 000005
【図４】
0003206822.tif 000006
【図５】
0003206822.tif 000007
【図６】
0003206822.tif 000008
【図７】
0003206822.tif 000009
【図８】
0003206822.tif 000010